(57)【要約】【課題】  従来のこの種の防水型電子機器では、各操作ボタンが防水構造になっておらず、水や水分等の浸入が比較的容易であったため、各操作ボタンに防水構造を設けると、構造的にもスペース的にも大きなものとなり、装置全体の小型化を図ることができない等の課題がある。【解決手段】  撮像装置本体２の開口部１７を開閉可能なディスク蓋体１３と、そのディスク蓋体１３を撮像装置本体２に着脱自在に締め付け固定可能なバックル１２と、そのバックル１２又は撮像装置本体２の少なくとも一方に設けられ、バックル１２と撮像装置本体２との間を液密に封止するシール部材２４と、を備えて構成される。バックル１２でディスク蓋体１３を締め付けて固定したときに、そのバックル１２で覆われる部分の少なくとも一部が液密に封止されるようにした。【選択図】      図８
2006139037.tif 000002
【特許請求の範囲】
【請求項１】
電子機器本体の開口部を開閉可能な蓋体と、
前記蓋体を前記電子機器本体に着脱自在に締め付け固定可能なバックルと、
前記バックル又は前記電子機器本体の少なくとも一方に設けられ、当該バックルと電子機器本体との間を液密に封止するシール部材と、を備え、
前記バックルで前記蓋体を締め付けて固定したときに、当該バックルで覆われる部分の少なくとも一部が液密に封止されるようにしたことを特徴とする防水型電子機器。
【請求項２】
前記防水型電子機器は、撮影した被写体の映像を電気信号に変換して出力すると共に当該電気信号を記録可能な情報記録媒体が着脱可能に取り付けられる防水型撮像装置であり、
前記蓋体を開けたときに、前記情報記録媒体が交換可能に構成されていることを特徴とする請求項１記載の防水型電子機器。
【請求項３】
前記電子機器本体の前記バックルで液密に覆われる部分には、前記情報記録媒体が収納される前記開口部を覆う前記蓋体を開放操作するための操作手段を配置して設けたことを特徴とする請求項２記載の防水型電子機器。
【請求項４】
前記操作手段は、前記蓋体の開放操作を行うための第１の操作手段と第２の操作手段とを備え、
前記第１の操作手段は、操作されることによって前記情報記録媒体に所定の情報を記録することを指示する信号を出力し、当該所定の情報の記録が終了した後、又は、既に所定の情報の記録が終了しているときには直ちに、前記第２の操作手段の操作を可能とする記録停止スイッチからなり、
前記第２の操作手段は、前記第１の操作手段による第２の操作手段の操作が可能とされた後、操作されることによって前記蓋体のロックを解除して開放動作を可能とするスライドツマミからなることを特徴とする請求項３記載の防水型電子機器。
【請求項５】
前記電子機器本体の内部には、その内部空間を、前記情報記録媒体が収納されると共に前記蓋体によって覆われる第１の室と、前記バックルで液密に覆われる第２の室とに仕切る仕切り部材を設け、
前記仕切り部材には、前記第１の室と前記第２の室とを連通する通気口を設けたことを特徴とする請求項２記載の防水型電子機器。
【請求項６】
前記仕切り部材は、電源としてのバッテリーが着脱自在に装着されるバッテリーホルダであることを特徴とする請求項５記載の防水型電子機器。
【発明の詳細な説明】
【技術分野】
【０００１】
本発明は、バックルと電子機器本体とに密着されるシール部材を有し、バックルを閉めたときに、そのバックルで覆われる部分の少なくとも一部が液密となるように防水機能若しくは防滴機能を持たせた防水型電子機器に関するものである。
【背景技術】
【０００２】
従来の、この種の防水型電子機器としては、例えば、特許文献１に記載されているようなものがある。特許文献１には、この特許出願人が先に特許出願したものであって、ディスク状記録媒体が着脱自在に装着されるディスク装着部を開閉蓋で開閉自在に覆うようにしたディスク記録及び／又は再生装置に関するものが記載されている。
【０００３】
この特許文献１に記載されたディスク記録及び／又は再生装置は、「ディスク状記録媒体が着脱自在に装着されるディスク装着部を開閉自在に覆う開閉蓋を有するプレーヤ本体と、上記開閉蓋を挟持可能とされたバックルと、を備え、上記バックルで上記開閉蓋をロックするようにした」ことを特徴としている。
【０００４】
このような構成を有するディスク記録及び／又は再生装置によれば、「バックルがある程度強い力でないと開かないため、開閉蓋をしっかりと挟持して、誤って開閉蓋を触った程度では開くことがなく、開閉蓋を強い締付力で挟持して簡単には開かないようにすることができる」という効果が得られる。
【０００５】
また、従来の、この種の防水型電子機器の他の例としては、例えば、特許文献２に記載されているようなものもある。特許文献２には、同じくこの特許出願人が先に特許出願したものであって、カメラに関するものが記載されている。
【０００６】
この特許文献２に記載されたカメラは、「幅と厚さとこれら幅及び厚さよりも大きな寸法の長さを有して細長形状に形成されたケースと、前記厚さ方向の一方に位置する前記ケースの前面に設けられた撮影レンズと、前記ケース内に設けられ前記撮影レンズを通して撮像された被写体像を検出して撮像信号を出力する撮像素子と、前記厚さ方向の他方に位置する前記ケースの後面上部に臨んで設けられ前記撮像素子から出力される前記撮像信号に基づいて前記被写体像の映像を表示する表示パネルとを備えたカメラにおいて、前記表示パネルは、その画面垂直方向が前記ケースの長さ方向に対して所定の角度で傾斜するように構成されている」ことを特徴としている。
【０００７】
このような構成を有するカメラによれば、「片手で保持する際に、撮影者の手や肩にかかる負担を減らし、且つ、シャッターボタンを押下する際の手ぶれを防止する上で有利なカメラを提供することができる」という効果が得られる。
【０００８】
しかしながら、上述した特許文献１及び２のいずれにおいても、各操作ボタンについては防水構造になってはおらず、そのため水や水分等の浸入が比較的容易であった。このような現状に対する対策としては、例えば、それぞれの操作ボタンに対して防水構造を設けることが考えられるが、そうすると、ボタンの数に応じて構造的にもスペース的にも大きなものとなり、装置全体が大型化されて小型化の目的を達成することができないという課題があった。
【０００９】
また、ディスク収納部を開閉する蓋体のロック構造には、必ずオーバーストロークが必要とされるが、従来のディスク収納部を開閉する蓋体の周縁部にパッキンを設け、そのパッキンを介して蓋体をバックル式の締付具でカメラ本体に押圧する構造においては、パッキンに対して均一の圧力を加えることが難しかった。そのため、蓋体のカメラ本体に対する密着性を高めることが容易ではなく、防水構造が不安定なものになっているという課題もあった。
【００１０】
更に、従来のこの種の防水型電子機器においては、カメラ本体内部の乾燥は自然乾燥のみであったため、防水構造が施されて密閉されたカメラ本体内に結露が生じた場合には、その結露の解消に長時間を要していた。また、カメラ本体内に結露が発生すると、その結露発生時から一定時間の間、撮影動作や再生動作等を停止させる機能を備えた撮像装置等も存在していた。そのため、このような電子機器の場合には、一定時間を超えないと撮影動作等を再開できないという課題があった。
【特許文献１】特開２００３−８５９５７号
【特許文献２】特開２００４−１７９８５０号
【発明の開示】
【発明が解決しようとする課題】
【００１１】
解決しようとする問題点は、従来のこの種の防水型電子機器では、各操作ボタンが防水構造になっておらず、水や水分等の浸入が比較的容易であったため、各操作ボタンに防水構造を設けると、構造的にもスペース的にも大きなものとなり、装置全体の小型化を図ることができないという点である。更に、ディスク蓋体のロック構造にはオーバーストロークが必要であるため、ディスク蓋体の密着性を高めることが難しく、また、カメラ本体内の水や水分の除去は自然乾燥によっていたため、防水構造での密閉された空間内に生じた結露の解消には長時間を要していたという点である。
【課題を解決するための手段】
【００１２】
本出願の防水型電子機器は、電子機器本体の開口部を開閉可能な蓋体と、その蓋体を電子機器本体に着脱自在に締め付け固定可能なバックルと、そのバックル又は電子機器本体の少なくとも一方に設けられ、バックルと電子機器本体との間を液密に封止するシール部材と、を備え、バックルで蓋体を締め付けて固定したときに、バックルで覆われる部分の少なくとも一部が液密に封止されるようにしたことを最も主要な特徴とする。
【００１３】
本出願の防水型電子機器は、その防水型電子機器は、撮影した被写体の映像を電気信号に変換して出力すると共にその電気信号を記録可能な情報記録媒体が着脱可能に取り付けられる防水型撮像装置であり、蓋体を開けたときに、情報記録媒体が交換可能に構成されていることを特徴とする。
【００１４】
本出願の防水型電子機器は、電子機器本体のバックルで液密に覆われる部分には、情報記録媒体が収納される開口部を覆う蓋体を開放操作するための操作手段を配置して設けたことを特徴とする。
【００１５】
本出願の防水型電子機器は、操作手段は、蓋体の開放操作を行うための第１の操作手段と第２の操作手段とを備え、第１の操作手段は、操作されることによって情報記録媒体に所定の情報を記録することを指示する信号を出力し、その所定の情報の記録が終了した後、又は、既に所定の情報の記録が終了しているときには直ちに、第２の操作手段の操作を可能とする記録停止スイッチからなり、第２の操作手段は、第１の操作手段による第２の操作手段の操作が可能とされた後、操作されることによって蓋体のロックを解除して開放動作を可能とするスライドツマミからなることを特徴とする。
【００１６】
本出願の防水型電子機器は、電子機器本体の内部には、その内部空間を、情報記録媒体が収納されると共に蓋体によって覆われる第１の室と、バックルで液密に覆われる第２の室とに仕切る仕切り部材を設け、その仕切り部材には、第１の室と第２の室とを連通する通気口を設けたことを特徴とする。
【００１７】
また、本出願の防水型電子機器は、仕切り部材は、電源としてのバッテリーが着脱自在に装着されるバッテリーホルダであることを特徴とする。
【発明の効果】
【００１８】
本出願の防水型電子機器によれば、バックルを電子機器本体に押し付けて締め付け固定すると、バックルの周縁部又は電子機器本体の開口部の周縁部の少なくとも一方に設けたシール部材が開口部を囲った状態で電子機器本体又はバックルに密着され、バックルで覆われた部分の少なくとも一部が液密とされる。そのため、電子機器本体の開口部をバックルによって液密に封止することができ、バックル内の少なくとも一部の防水機能若しくは防滴機能を向上させて防水（防滴）性能に優れた構造を備えた防水型電子機器を提供することができる。
【００１９】
本出願の防水型電子機器によれば、情報記録媒体が着脱可能に取り付けられる防水型撮像装置を防水型電子機器として適用し、蓋体を開けたときに情報記録媒体が交換可能である構成とすることにより、バックルによって蓋体を電子機器本体に密着させて締め付け固定できると共に、蓋体を開放することによって情報記録媒体の交換作業を簡単に行うことができる。
【００２０】
本出願の防水型電子機器によれば、電子機器本体のバックルで液密に覆われる部分に、開口部を覆う蓋体を開放操作するための操作手段を配置することにより、その操作手段に特別の防水機構を設けることなく防水性を確保することができる。そのため、操作手段に対して独自に防水機能を付与する必要がないから、操作手段の構造を簡単なものとすることができ、装置全体の大型化を抑制することができる。
【００２１】
本出願の防水型電子機器によれば、操作手段として第１の操作手段と第２の操作手段とを備え、第１の操作手段である記録停止スイッチが操作されたときに、情報記録媒体に所定の情報が記録されるまでの間第２の操作手段が操作されるのを第１の操作手段によって阻止し、その情報記録媒体に所定の情報が記録された後に第２の操作手段であるスライドツマミの操作を可能として、第２の操作手段を操作することにより、蓋体のロックを解除してその蓋体の開放動作を可能とすることにより、操作手段の操作手順を誤ったときにも、必要な情報が情報記録媒体に記録されない内に蓋体が開放されることがないようにすることができる。そのため、必要な情報が情報記録媒体に記録されないという不具合の発生を確実且つ効果的に防止することができる。
【００２２】
本出願の防水型電子機器によれば、電子機器本体の内部空間を第１の室と第２の室とに仕切る仕切り部材を設け、その仕切り部材に第１の室と第２の室とを連通する通気口を設けることにより、バックルによって液密に覆われる第２の室が通気口を介して第１の室と連通されるため、バックルを開放すると、その通気口を介して電子機器本体内に外気が導入されることから、その外気を電子機器本体内に循環させて内部の結露状態を早期に解消させることができる。
【００２３】
また、本出願の防水型電子機器によれば、仕切り部材としてバッテリーが着脱自在に装着されるバッテリーホルダを適用することにより、部品点数の増加を招くことなく既存の構成部品を用いて対応することができ、そのバッテリーホルダに通気口を設けることにより、バックルを開けただけで電子機器本体内の結露状態の早期解消を図ることができ、結露状態の早期解消が可能な防水型電子機器を、コストアップを生ずることなく簡単な構造によって実現することができる。
【発明を実施するための最良の形態】
【００２４】
バックルを締めることによって電子機器本体の開口部を蓋体で閉じたときに、そのバックルで覆われる部分の少なくとも一部を液密に封止することができ、しっかりとした確実な防水機能若しくは防滴機能を発揮し得る防水型電子機器を、簡単な構造によって実現した。
【実施例１】
【００２５】
図１〜図１９は、本発明の実施の形態の例を示すものである。即ち、図１〜図７は本発明の防水型電子機器の第１実施例を示すディスク式防水型撮像装置であり、図１は正面図、図２は底面図、図３は平面図、図４は背面図、図５は左側面図、図６は右側面図、図７は外観斜視図である。図８は本発明に係るディスク式防水型撮像装置のバックルを開いて正面側から見た斜視図、図９は同じくディスク蓋体とバックルを共に開いてディスク蓋体側から見た斜視図、図１０はセンタ枠体とレンズ側外装体と電子機器本体を分解した斜視図である。
【００２６】
また、図１１はセンタ枠体にバッテリーホルダを取り付けた斜視図、図１２はバッテリーホルダの平面図、図１３は同じく斜視図、図１４はバッテリー収納部の断面図、図１５はディスク式防水型撮像装置の中央部を断面した概略説明図、図１６は同じく使用状態を示す説明図、図１７は本発明の防水型電子機器の第２実施例を示すディスク式防水型撮像装置の斜視図、図１８は同じくバックルを開いた斜視図、図１９は同じくディスク蓋体を開いた斜視図である。
【００２７】
図１〜図９に示すディスク式防水型撮像装置１は、情報記憶メディアとしてディスク状記録媒体の一具体例を示すＤＶＤ−Ｒ（Digital Video Disc−Recordable）を使用し、光学的な画像をＣＣＤ（固体撮像素子）で電気的な信号に変換してＤＶＤ−Ｒに記録したり、液晶ディスプレイ等の平面モニタからなる表示装置に表示できるようにしたもの（以下「ディスク式撮像装置」という。）である。しかしながら、本発明の防水型撮像装置に係る情報記憶メディアとしては、ＤＶＤ−Ｒに限定されるものではなく、ＤＶＤ−ＲＷその他の記録可能な光学ディスクは勿論のこと、光磁気ディスク、磁気ディスク等のように他の記録方式のディスク状記録媒体を用いることができると共に、他の形式の記録媒体、例えば、磁気テープ、半導体記録媒体等も用いることができるものである。
【００２８】
このディスク式防水型撮像装置１は、図１〜図９に示すように、複数の開閉可能な蓋体が取り付けられる電子機器本体の一具体例を示す撮像装置本体２と、着脱自在に装着されるＤＶＤ−Ｒを回転駆動して情報信号の記録（書き込み）及び再生（読み出し）を行うディスクドライブ装置３と、このディスクドライブ装置３の駆動制御等を行う制御回路等が設けられた図示しない制御装置と、被写体の像を光として取り込んで撮像手段としてのＣＣＤに導くレンズ装置５と、そのＣＣＤら出力される映像信号に基づき映像を表示する液晶ディスプレイ等の表示装置からなる平面モニタを有するタッチパネル装置７と、ＣＣＤから出力される映像信号を一時的に記憶する図示しない記憶装置等を備えて構成されている。これらディスクドライブ装置３とレンズ装置５とタッチパネル装置７等は、すべて撮像装置本体２内に収納されている。
【００２９】
図１〜図９に示すように、撮像装置本体２は、中央部に配置されたセンタ枠体１０と、このセンタ枠体１０の一面側を覆うレンズ側外装体１１と、このレンズ側外装体１１に設けた開口部１７を開閉可能に覆うバックル１２とから構成されている。このセンタ枠体１０のレンズ側外装体１１と反対側は、ディスク状記録媒体が着脱自在に装着されるディスク装着部４７とされており、そのディスク装着部４７は、センタ枠体１０に回動自在に取り付けられた蓋体の一具体例を示すディスク蓋体１３によって開閉可能に覆われている。
【００３０】
センタ枠体１０は、平面形状が略馬蹄形をなしており、略Ｕ字状をなす曲線枠部１６と、その曲線枠部１６の開口側を略直線状に連結する横桟部１５とを有する枠体からなっている。このセンタ枠体１０は、ディスクドライブ装置３等を収納できる高さを有しているが、横桟部１５側が高く設定されており、その反対側である曲線枠部１６の高さは、中央に至るに伴って逐次的に低くなるように勾配を有する形状とされている。このセンタ枠体１０内に、ディスクドライブ装置３や制御装置その他の装置及び機器が配置されている。このセンタ枠体１０のディスク蓋体１３と反対側の面に、レンズ側外装体１１が複数個の固定ネジによってネジ止めされて固定されている。
【００３１】
レンズ側外装体１１の横桟部１５側には、横方向に延在された前枠部１１ｄと、前後方向に延在された左右の横枠部１１ｅ，１１ｆとが設けられており、これにより開口部１７が大きく開口されて設けられている。レンズ側外装体１１の組立時、前枠部１１ｄはセンタ枠体１０の横桟部１５に重ね合わされ、左右の横枠部１１ｅ，１１ｆは曲線枠部１６の横桟部１５側に重ね合わされ、センタ枠体１０の横桟部１５側に開口部１７が開口されている。この開口部１７がバックル１２によって開閉自在とされており、そのバックル１２は、センタ枠体１０に回動自在に支持された一対のヒンジアーム２３，２３によって回動自在に支持されている。
【００３２】
この一対のヒンジアーム２３，２３の回動動作によってバックル１２が、図７に示す閉鎖位置若しくは図８に示す開放位置、又はこれら閉鎖位置から開放位置までの間の任意の位置で停止可能に構成されている。また、バックル１２の内面の外周縁には、その全周に亘ってシール部材２４が取り付けられている。このシール部材２４は、バックル１２と撮像装置本体２との間の液密性を確保し、バックル１２内部の防水（若しくは防滴）構造を実現するものである。シール部材２４は、例えば、２色成形によってバックル１２と一体に形成しても良く、また、紐状のシール部材を接着剤でバックル１２に一体的に固定する構成としてもよい。
【００３３】
このバックル１２は、バッテリー収納部１８を有する開口部１７を開閉する蓋体としての機能の他に、ディスク蓋体１３を閉じた位置に強く締め付けて固定する締結具の機能も兼ね備えている。そのため、バックル１２の先端側の略中央部には、回動自在に支持されたローラ３０を有する締結具２９が設けられている。これに対応させて、ディスク蓋体１３の先端側の略中央部には、ローラ３０が着脱自在に係合される係合突起３１が設けられている。この係合突起３１にローラ３０を乗り越えさせて締結具２９を係合することにより、ディスク蓋体１３をバックル１２で強固に締め付けて閉じた位置に保持することができる。
【００３４】
この締め付け動作と逆動作を締結具２９に加え、ディスク蓋体１３の係合突起３１から離れる方向にローラ３０を回動させてその係合状態を解除することにより、バックル１２を開放して開口部１７を開口させることができる。この開口部１７内にはバッテリー収納部１８と３つの操作手段が配置されており、これらがバックル１２によって閉塞又は開放可能とされている。３つの操作手段は、記録手段によるディスク状記録媒体への記録動作を停止させる第１の操作手段である記録停止スイッチ２１と、第２の操作手段であるスライドツマミ２２と、何らかのトラブルによって起動停止されたディスク式防水型撮像装置１を再起動させるための再起動スイッチ２７である。
【００３５】
かくして、バックル１２が図７に示す閉じた位置にあるときには、開口部１７がバックル１２によって閉じられるため、バッテリー収納部１８と３つの操作手段とが共に覆い隠される。しかも、バックル１２の内面の外周縁に設けたシール部材２４が全周に亘ってレンズ側外装体１１に液密に密着されるため、その接触部から撮像装置本体２の内部に埃やゴミ等が入り込むのを防止できることは勿論のこと、水や水分等の液体が入り込むことをも確実に防止することができる。
【００３６】
一方、バックル１２が、図８に示す開放位置にあるときには、バッテリー収納部１８と記録停止スイッチ２１とスライドツマミ２２と再起動スイッチ２７とがそれぞれ露出される。そのため、バックル１２の開放状態では、バッテリー収納部１８から電源の一具体例を示すバッテリー２８を取り出したり、そのバッテリー収納部１８に新たなバッテリー２８を装着したりすることができる。また、バックル１２が開放位置にあるときにのみ記録停止スイッチ２１とスライドツマミ２２と再起動スイッチ２７とが操作可能な状態となるため、バックル１２が開放される前にスライドツマミ２２が誤って操作されたり、所定の情報信号が記録される前に誤ってディスク蓋体１３が開放されて、記録漏れ等の不具合が発生するのを防止することができる。
【００３７】
バッテリー収納部１８は、図１２及び図１３に示すバッテリーホルダ１９によって構成されている。バッテリーホルダ１９は、上面と前面に開口された長方形の筐体からなり、底面部１９ａと背面部１９ｂと左右の側面部１９ｃ，１９ｄとが設けられている。バッテリーホルダ１９の底面部１９ａには、これを貫通する長方形の開口穴９３が設けられている。更に、底面部１９ａと左右の側面部１９ｃ，１９ｄとが交わる角部には、それぞれ通気用の通気口９４ａ，９４ｂが設けられている。そして、背面部１９ｂには端子部１９ｅが設けられている。この端子部１９ｅには、バッテリー２８の端子部に接続される本体側の接続端子８９が取り付けられる（図１１を参照）。
【００３８】
更に、バッテリーホルダ１９の左側面部１９ｃの前部には、記録停止スイッチ２１を保持するスイッチ受け台９５が設けられている。また、バッテリーホルダ１９の右側面部１９ｄには、外側に突出するセンサ受部９６が設けられている。このセンサ受部９６には、図示しない結露センサ（結露感知装置）が取り付けられる。このような底面部１９ａと背面部１９ｂと左右の側面部１９ｃ，１９ｄとで囲まれたバッテリーホルダ１９の領域によってバッテリー収納部１８が構成されている。
【００３９】
このような構成を有するバッテリーホルダ１９は、図１１に示すような状態でセンタ枠体１０に取り付けられている。即ち、バッテリーホルダ１９は、前面をセンタ枠体１０の横桟部１５に揃えるようにして複数の固定ネジで締め付け固定されている。図１４は、バッテリーホルダ１９によって構成されるバッテリー収納部１８を、横桟部１５が延びる方向に断面して示すもので、バッテリーホルダ１９とプリント配線基板１６１との位置関係を示す説明図である。
【００４０】
一般に、電子機器を小型化しようとするとき、装置本体の使用時における温度上昇が問題となるが、その主な要因としては、バッテリー自体の発熱の他に、多数の電子機器が搭載される大型のプリント配線基板の発熱がある。そのため、バッテリーと大型のプリント配線基板を近くに配置すると、それぞれの温度上昇が高くなるという問題がある。そのため、従来では、バッテリーとメインとなるプリント配線基板とは、ある程度離して配置しなければならないことから、設計に際して構造上の制限が加えられており、電子機器の小型化が困難になっていた。
【００４１】
このような問題点は、図１４に示すような構造とすることにより、装置の大型化を招くことなく解決することが可能である。即ち、多量に熱を発生するプリント配線基板１６１とバッテリー１８との間に、熱の伝導性の高い薄い金属製の放熱板（例えば、アルミニウム合金板、ステンレス板等）１６３を配置するようにする。プリント配線基板１６１に対して薄い金属の放熱板１６３を配置し、その放熱板１６３の上にバッテリーホルダ１９を配置し、そのバッテリーホルダ１９にバッテリー１８を収納する。
【００４２】
このとき、バッテリーホルダ１９の一部を空洞（この実施例では開口穴９３）にし、その空洞部である開口穴９３の下部に位置するように、放熱板１６３に放熱部１６３ａを設ける。この放熱部１６３ａによってその上下にそれぞれ空間部１６４，１６５を形成する。このように、放熱板１６３に放熱部１６３ａを設け、その放熱部１６３ａをバッテリーホルダ１９の開口穴（空洞部）９３内に挿入し、その放熱部１６３ａの上下にそれぞれ空間部１６４，１６５を設けることにより、多量に熱を発生するプリント配線基板１６１からの熱をバッテリー１８に伝えることなく（伝え難くして）、その放熱板１６３を介して放熱することが可能となる。その結果、プリント配線基板１６１とバッテリー１８とを電子機器の内部で効率の良い配置をすることが可能になる。
【００４３】
また、バッテリーホルダ１９は、図１５に概略構成を示すように、撮像装置本体２の内部空間を、ディスク装着部４７を有する第１の室９７と、バックル１２によって液密に閉じられる開口部１７を有する第２の室９８とに仕切る仕切り部材の一具体例を示している。第１の室９７と第２の室９８は、バッテリーホルダ１９の左右両側に設けた通気口９４ａ，９４ｂによって連通され、これらの通気口９４ａ，９４ｂを介して第１の室９７と第２の室９８との間に空気が循環されるようになっている。
【００４４】
図９に示すように、ディスクドライブ装置３は、メカデッキ３５とテーブル回転装置３６と光学ピックアップ装置３７とピックアップ移動装置等を備えて構成されている。メカデッキ３５は、ＤＶＤ−Ｒと略同程度の大きさを有する枠状の部材からなり、図示しない複数個のマウント部材を介してセンタ枠体１０に弾性的に支持されている。このメカデッキ３５の中央から一方へ偏倚した位置に、テーブル回転装置３６が搭載されている。テーブル回転装置３６は、メカデッキ３５に固定されたスピンドルモータ４０と、このスピンドルモータ４０の回転部に固定されたターンテーブル４１等から構成されている。
【００４５】
ターンテーブル４１は、ＤＶＤ−Ｒの中心孔が嵌合されるディスク嵌合部４１ａと、その中心孔の周縁部が載置されるディスク載置部４１ｂとからなっている。更に、嵌合部４１ａには、ＤＶＤ−Ｒの中心孔の周縁部に係合してＤＶＤ−Ｒを保持する複数個のクランプ爪４２（本実施例では３個）が周方向に等間隔あけて設けられている。各クランプ爪４２は、それぞれコイルバネによって半径方向外側へ付勢されている。このコイルバネのバネ力によるクランプ爪４２の保持力により、ＤＶＤ−Ｒがターンテーブル４１の中央にセンタリングされて、一定の保持力で保持される。このコイルバネのバネ力に抗してクランプ爪４２を後退させることにより、ターンテーブル４１に対するＤＶＤ−Ｒの装着動作及び離脱動作が可能となる。
【００４６】
光学ピックアップ装置３７は、ＤＶＤ−Ｒの情報記録面に対向されるピックアップレンズ４４を有する二軸アクチュエータと、この二軸アクチュエータが搭載されたスライド部材４５等を備えて構成されている。スライド部材４５は、図に表れないピックアップ移動装置によって往復移動自在とされていて、ターンテーブル４１に対して接近及び離反可能に構成されている。ピックアップ移動装置は、互いに平行に配置された２本のガイド軸と、これらガイド軸と平行に設けられた送りネジ軸と、この送りネジ軸を回転駆動する送りモータ等から構成されている。
【００４７】
ピックアップ移動装置の２本のガイド軸は、スピンドルモータ４０を両側から挟んでディスク式撮像装置１の前後方向に延在されている。この２本のガイド軸にスライド部材４５が摺動可能に保持されており、そのスライド部材４５に取り付けられたナット部材が送りネジ軸のネジ部に係合されている。かくして、ピックアップ移動装置の送りモータを回転駆動することにより、送りネジ軸の回転方向に応じて光学ピックアップ装置３７が、ターンテーブル４１に近づく方向とそのターンテーブル４１から離れる方向とに選択的に移動される。
【００４８】
このような構成を有するディスクドライブ装置３が、ターンテーブル４１をディスク蓋体１３側に配した状態でセンタ枠体１０に取り付けられている。このディスクドライブ装置３のターンテーブル４１側に、ＤＶＤ−Ｒ等のディスク状記録媒体が着脱可能に装着されるディスク装着部４７が設定されている。更に、撮像装置本体２内のディスクドライブ装置３の奥にはレンズ装置用の空間部が設定されており、その空間部内にレンズ装置５が配設されている。
【００４９】
図４及び図９に示すように、ディスク蓋体１３には、円形に盛り上げられた膨出部１３ａが設けられている。この膨出部１３ａは、ターンテーブル４１に装着されるディスク状記録媒体（例えば、直径が８ｃｍのＤＶＤ−Ｒ等）の大きさに見合う大きさとされている。このディスク蓋体１３の膨出部１３ａの略中央部には長方形をなす開口窓４８が設けられており、その開口窓４８には表示手段を備えたタッチパネル装置７が取り付けられている。
【００５０】
タッチパネル装置７は、タッチパネルと表示パネルとバックライトパネルとホルダと押え板等を備えて構成されている。タッチパネルの一面に表示パネルが接着剤によって接着され、その表示パネルの他面にバックライトパネルが配置されている。表示パネルとバックライトパネルの周囲は、四角形の枠体からなるスペーサによって囲われており、このスペーサがタッチパネルとバックライトパネルで挟持されていて、これにより、全体で１つの組立体をなすタッチパネル装置７が構成されている。表示パネルとしては、例えば、液晶ディスプレイ（ＬＣＤ）やＥＬ(Electroluminescence）パネル等の平面モニタが好適である。
【００５１】
更に、ディスク蓋体１３の膨出部１３ａのタッチパネル装置７の下部には、電源をオン・オフ等するための切換スイッチ５０等が配設されている。切換スイッチ５０は、円弧状にスライド可能とされていると共に、所定位置において押圧操作可能に構成されている。即ち、切換スイッチ５０は、スライド操作によって電源のオン・オフが切り換えられると共に、その電源のオン位置において押圧操作することにより、撮影モード（例えば、静止画撮影、動作撮影、再生表示等）の切り換えが可能とされている。ディスク蓋体１３の膨出部１３ａより外側の右上部には、撮像装置本体２を把持するための把持部５２の一部を構成する第１の指掛け部５２ａが設けられている。この第１の指掛け部５２ａには、右手の親指が当接される。
【００５２】
図３及び図９に示すように、センタ枠体１０の曲線枠部１６における横桟部１５側の一方の端部には、撮影の開始と終了を実行する録画ボタン５４と、一対のズームボタンが配置されている。一対のズームボタンは、レンズ装置５をワイド（広角）側に移動させるワイドボタン５５と、レンズ装置５をテレ（望遠）側に移動させるテレボタン５６とから構成されている。ワイドボタン５５とテレボタン５６は、所定の範囲内においてそれぞれのボタンを押し続ける間だけ画面の拡大又は縮小が連続して実行され、それぞれの終端においてワイド側又はテレ側への移動が停止されるようになっている。
【００５３】
図２及び図７に示すように、センタ枠体１０の曲線枠部１６における横桟部１５側の他方の端部には、このディスク式防水型撮像装置１を、図示しない三脚に取り付けるための三脚用固定金具５８が埋め込まれ、複数個の固定ネジ５９によって着脱可能に取り付けられている。三脚用固定金具５８は、長手方向両端の円弧部分の曲率半径が異なる略長円形の部材からなり、その大径側に三脚の固定ネジが螺合されるネジ穴５８ａが設けられている。
【００５４】
図１、図７及び図１０等に示すように、ディスク式防水型撮像装置１の正面に配置されたレンズ側外装体１１のバックル１２と反対側の端部には、正面に撮像レンズ６２を露出させた状態でレンズ装置５が配設されている。このレンズ装置５を配置するためレンズ側外装体１１には、正面側に突き出したレンズ用膨出部１１ａが設けられており、そのレンズ用膨出部１１ａにはレンズカバー６５が装着されている。そして、レンズ用膨出部１１ａに設けた凹陥部１１ｂ内に、撮像レンズ６２を保護するためのレンズ保護ガラスを有するレンズ防水装置が設けられている。
【００５５】
レンズ装置５は、複数個の筒体の組み合わせからなるレンズ鏡筒と、このレンズ鏡筒に保持された撮像レンズ６２を含む複数枚のレンズの組み合わせからなるレンズユニットとを備えて構成されている。そのレンズユニットの光軸上の後方に、撮像手段の一具体例を示すＣＣＤ（固体撮像素子）が配置されている。ＣＣＤはレンズ鏡筒に固定されていて、その受光面の略中央部にレンズユニットの光軸が設定されている。このレンズ装置５のレンズユニットを透過した被写体の光がＣＣＤに受光されることにより、その被写体に対応した電気信号からなる映像信号がＣＣＤから制御装置や表示装置等に出力される。
【００５６】
レンズカバー６５は、レンズ側外装体１１のレンズ用膨出部１１ａに見合う形状とされていて、凹陥部１１ｂ内に開口穴１１ｃが設けられている。レンズ用膨出部１１ａの開口穴１１ｃには、レンズ保護ガラスを固定する固定部材６７が嵌合されている。このレンズカバー６５は、複数個の固定ネジによってレンズ側外装体１１に着脱可能に取り付けられている。
【００５７】
このような構成を有するディスク式防水型撮像装置１によれば、バックル１２の内周縁には、その全周に亘ってシール部材２４が装着されており、バックル１２を閉じると、シール部材２４を介してバックル１２がレンズ側外装体１１に液密に密着される。そのため、バックル１２を閉じるだけで、バックル１２の内部の防水（防滴）構造とすることができる。これにより、バッテリー収納部１８や記録停止スイッチ２１、スライドツマミ２２等を個別に防水構造とする必要がないため、その防水構造によって装置全体が大型化されることがなく、小型でありながら防水性能（防滴性能）に優れた電子機器を得ることができる。
【００５８】
また、図７に示すように、バックル１２を閉じると、締結具２９によってディスク蓋体１３が少々引っ張り込まれる。即ち、ディスク蓋体１３のロックに必要なバックラッシュ分を、バックル１２によって引き込むことができる。そのため、ディスク蓋体１３をセンタ枠体１０にしっかりと密着させることができ、これにより、ディスク蓋体１３の防水機能をより安定したものとすることができる。
【００５９】
この際、撮像装置本体２の内部に水が入り込み、或いは内部の湿気が異常に高くなることによって内部に結露が生じると、その結露状態が結露センサによって検出され、場合によっては、ＲＭＤ(Recording Management Data)やＴＯＣ(Table of contents)が書き込まれない状態になる。その結果、このディスク式防水型撮像装置１は、ディスク蓋体１３にロックが掛かり、そのディスク蓋体１３が強制的に開けられない状態となる。この状態は、撮像装置本体２内の結露状態が解消されるまで持続されるため、ディスク蓋体１３を開放可能な状態とするには、内部の結露状態を解消する必要がある。
【００６０】
このような場合において、本実施例では、バックル１２を開くと、バッテリーホルダ１９に設けた２つの通気口９４ａ，９４ｂによって第１の室９７と第２の室９８が連通される。そのため、これら通気口９４ａ，９４ｂを介して外気が撮像装置本体２の内部に流入され、その空気が循環することによって内部を乾燥させることができ、撮像装置本体２内の結露状態を早期に解消させることができる。これにより、ディスク式防水型撮像装置１による快適な撮影を行うことができる。
【００６１】
また、撮像装置本体２の内部に通気口９４ａ，９４ｂを設けることにより、撮像装置本体２内にある各種の熱源から熱を奪って内部温度の上昇を防ぐことができる。しかも、撮像装置本体２内に空気が循環することにより、結露センサその他の内蔵部品の湿気による劣化や消耗等を防ぐこともできる。
【００６２】
図１６は、本実施例に係るディスク式防水型撮像装置１の使用状態の一例を示すものである。右手は撮影装置本体２の把持部５２を把持するように用いられ、左手は撮影装置本体２のレンズ装置５の近傍を把持するように用いられる。そのため、図１〜図３に示すように、レンズ側外装体１１のレンズ装置５と反対側の端部には、撮影装置本体２の把持部５２の一部を構成する第２の指掛け部５２ｂが設けられている。
【００６３】
ディスク式防水型撮像装置１の把持部５２の第２の指掛け部５２ｂには、右手の中指や薬指が当接される。この第２の指掛け部５２ｂに掛けられる右手の中指等と、第１の指掛け部５２ａに掛けられる右手の親指によって把持部５２が把持される。そして、右手の人差し指は、撮影装置本体２の上方に回され、録画ボタン５４とワイドボタン５５とテレボタン５６との３つの操作ボタン５４〜５６の操作に供される。このようにしてディスク式防水型撮像装置１がユーバーに保持され、人差し指による３つの操作ボタン５４〜５６の操作を経て所望の被写体を、所望の構図、大きさ等によって撮影することができる。
【００６４】
図１７乃至図１９は、本発明の防水型電子機器に係る防水型撮像装置の第２の実施例を示すものである。この第２実施例として示すディスク式防水型撮像装置１０１は、バックル１１２でディスク蓋体１１３を直接ロック可能にすると共に、開口部１１７も同時に開閉可能に構成したものである。撮像装置本体１０２は、中空の略四角形をなす筐体からなり、その前側の上部にレンズ装置１０５が配置され、撮像レンズ１６２が前面に露出されている。そして、撮像装置本体１０２の後側の上部には、ビューファインダ１０８が配置されている。
【００６５】
図１９に示すように、撮像装置本体１０２の一方の側面にディスクドライブ装置１０３が配置されている。ディスクドライブ装置１０３は、テーブル回転装置１３６の回転軸を水平方向へ向けた状態で撮像装置本体１０２に取り付けられている。これにより、テーブル回転装置１３６に装着されたＤＶＤ−Ｒ１０９は、垂直方向に回転駆動される。このテーブル回転装置１３６のターンテーブル及びその周縁部であるディスク装着部１４７は、ディスク蓋体１１３によって開閉自在とされている。ディスク蓋体１１３は略円形をなす偏平の部材からなり、ヒンジ１１４によって撮像装置本体１０２の下部に回動自在に取り付けられている。そして、ディスク蓋体１１３の自由端側の略中央部には、バックル用の係合突起１３１が設けられている。
【００６６】
図１７〜図１９に示すように、バックル１１２は、撮像装置本体１０２の上部に設けた突起部１１９に回動自在に取り付けられている。突起部１１９には、上面に開口する開口部１１７が設けられている。開口部１１７は撮像装置本体１０２の内部に連通されており、この開口部１１７を開くことによって撮像装置本体１０２の内部に外気を導入することができる。更に、突起部１１９には、重要な操作スイッチの一具体例を示すディスク蓋体１１３を開放可能とするための記録媒体取出しスイッチの一具体例を示すディスク取出しスイッチ１２０が設けられている。このディスク取出しスイッチ１２０を操作しないうちは図示しないロック機構が働いて、ディスク蓋体１１３を開放動作させることができないようになっている。
【００６７】
これらの開口部１１７及びディスク取出しスイッチ１２０は、バックル１１２によって液密に密封可能とされている。バックル１１２は、突起部１１９の上面を覆うに十分な大きさを有しており、ピンによって突起部１１９に回動自在に支持されている。バックル１１２の突起部１１９の上面と接触する面には、開口部１１７の全体を覆い隠すことができるシール部材としてのゴム状弾性体からなるパッキン１２７が設けられている。更に、パッキン１２７には、ディスク取出しスイッチ１２０を逃がすための逃がし穴１３２が設けられている。
【００６８】
また、バックル１１２の自由端側には、締結具のローラ１３０が設けられている。バックル１１２の閉鎖時、ローラ１３０を係合突起１３１を乗り越えさせて係合することにより、バックル１１２でディスク蓋体１１３を強固に締め付けて固定することができる。図１６に示すように、バックル１１２の表面には、バックル１１２のロックを解除して開放操作を可能とするためのスライドスイッチ１４３が設けられている。なお、図１７〜図１９に示す符号１３３ａ，１３３ｂは、ズームスイッチの操作ボタンである。また、符号１３４は、ディスク式防水型撮像装置１０１を持つ撮影者の手を保持し、ディスク式防水型撮像装置１０１の落下を防止するグリップバンドである。
【００６９】
このような構成を備えた第２実施例に係るディスク式防水型撮像装置１０１によっても、前記実施例と同様の効果を得ることができる。即ち、バックル１１２の内面にシート状のパッキン１２７が設けられており、バックル１１２を閉じると、バックル１１２はバックル機構によって撮像装置本体１０２にしっかりと強固に締付固定され、パッキン１２７が突起部１１９の上面全体に密着されるために、バックル１１２内部の防水構造（若しくは防滴構造）をより確実なものとすることができる。
【００７０】
また、バックル１１２を開けると、ディスク蓋体１１３が開放される前に、開口部１１７が開かれて外気が撮像装置本体１０２内に導入される。そのため、導入された空気が撮像装置本体１０２内を循環することによって内部を乾燥させることができ、撮像装置本体２内の結露状態を早期に解消させることができる。また、撮像装置本体１０２内にある各種の熱源から熱を奪って内部温度の上昇を防ぐことができる。そして、撮像装置本体１０２内に空気が循環することにより、結露センサその他の内蔵部品の湿気による劣化や消耗等を防ぐこともできる。
【００７１】
以上説明したように、本発明によれば、防水機能を持つディスク式防水型撮像装置１，１０１等の防水型電子機器において、開閉蓋の機能を有するバックル１２，１１２を防水構造とし、その締結具を電子機器本体に係合することにより、バックル１２，１１２の内部に配設される操作スイッチやバッテリー収納部及びその周囲の部品等を個別に防水構造にする必要性をなくすことができ、装置全体の小型化を図ることができる。また、バックル１２，１１２を閉じる際に、そのバックル１２，１１２でディスク蓋体１３，１１３を引き込む構造にすることにより、バックラッシュ分の隙間を無くしてバックル１２，１１２の密着性を向上させ、防水若しくは防滴効果を高めることができる。
【００７２】
更に、バックル１２，１１２の内部にディスク取出しボタンを配置することにより、その誤操作をなくすことができる。即ち、バックル１２，１１２が閉じているときにはディスク取出しボタンに接触するおそれがないから、誤ってディスク取出しボタンを操作するおそれがなく、ＲＥＤやＴＯＣ等を書き込む動作のために所定の時間使えなくなって、録画するチャンスを逃がすことを防止することが可能である。また、前記実施例においては、バックル１２，１１２にシール部材２４，１２７を設けた例について説明したが、シール部材は撮像装置本体２，１０２に設けるようにしてもよく、また、バックル１２，１１２と撮像装置本体２，１０２の両方にシール部材を設ける構成としてもよい。
【産業上の利用可能性】
【００７３】
前記実施例においては、ディスク式防水（防滴）型撮像装置１，１０１に適用した例について説明したが、装置の全体が防水（防滴）型の電子機器ではなくてもよく、一部に防水（防滴）が必要な部分にも本願発明は適用可能である。更に、本願発明は、蓋体の開放によって装置本体の内外を連通させ、外気を装置本体内に導入して内部の湿気を排気（解消）できるものであれば、各種の電子機器（例えば、テープ記録装置、半導体記録装置等）に適用可能であることは勿論である。
【００７４】
また、本発明はディスク式防水型撮像装置以外の撮像装置、例えば、電子スチルカメラ、ビデオカメラ、カメラ機能付きパーソナルコンピュータ、カメラ機能付き携帯電話機、カメラ機能付きＰＨＳその他各種の防水（防滴）機能を有する撮像装置に適用することができる。このように、本発明は、前述しかつ図面に示した実施の形態に限定されるものではなく、その要旨を逸脱しない範囲内で種々の変形実施が可能である。
【図面の簡単な説明】
【００７５】
【図１】本発明の防水型電子機器の第１の実施例に係るディスク式防水型撮像装置を示す正面図である。
【図２】図１に示すディスク式防水型撮像装置の底面図である。
【図３】図１に示すディスク式防水型撮像装置の平面図である。
【図４】図１に示すディスク式防水型撮像装置の背面図である。
【図５】図１に示すディスク式防水型撮像装置の左側面図である。
【図６】図１に示すディスク式防水型撮像装置の右側面図である。
【図７】図１に示すディスク式防水型撮像装置をレンズ側外装体側から見た外観斜視図である。
【図８】図１に示すディスク式防水型撮像装置を、バックルを開けてレンズ側外装体側から見た外観斜視図である。
【図９】図１に示すディスク式防水型撮像装置を、ディスク蓋体とバックルを開けてディスク蓋体側から見た斜視図である。
【図１０】図１に示すディスク式防水型撮像装置の撮像装置本体に係るセンタ枠体及びレンズ側外装体とディスク蓋体を分解して示す斜視図である。
【図１１】図１に示すディスク式防水型撮像装置に係るセンタ枠体にバッテリーホルダを装着した状態を示す斜視図である。
【図１２】図１に示すディスク式防水型撮像装置に係るバッテリーホルダの平面図である。
【図１３】図１に示すディスク式防水型撮像装置に係るバッテリーホルダの斜視図である。
【図１４】図１に示すディスク式防水型撮像装置に係るバッテリーホルダとバッテリーとプリント配線基板との関係を説明する断面図である。
【図１５】図１に示すディスク式防水型撮像装置の内部構造の概略構成を説明する断面図である。
【図１６】図１のディスク式防水型撮像装置の使用状態を示す説明図である。
【図１７】本発明の防水型電子機器の第２の実施例に係るディスク式防水型撮像装置を示す斜視図である。
【図１８】図１７に示すディスク式防水型撮像装置のバックルを開いた状態の斜視図である。
【図１９】図１８に示すディスク式防水型撮像装置の更にディスク蓋体を開いた状態の斜視図である。
【符号の説明】
【００７６】
１，１０１…ディスク式防水型撮像装置（防水型電子機器）、  ２，１０２…撮像装置本体（電子機器本体）、  ３，１０３…ディスクドライブ装置、  ５，１０５…レンズ装置、  ７…タッチパネル装置、  １０…センタ枠体、  １１…レンズ側外装体、  １２，１１２…バックル、  １３，１１３…ディスク蓋体（蓋体）、  １７，１１７…開口部、  １８…バッテリー収納部、  １９…バッテリーホルダ、  ２１…記録停止スイッチ（第１の操作手段）、  ２２…スライドツマミ（第２の操作手段）、  ２４…シール部材、  ２９…締結具、  ３６，１３６…テーブル回転装置、  ４７，１４７…ディスク装着部（記録媒体収納部）、  ５２…把持部、  ６２，１６２…撮像レンズ、  ６５…レンズカバー、  ９４ａ，９４ｂ…通気口、  ９７…第１の室、  ９８…第２の室、  １１９…突起部、  １２０…ディスク取出しスイッチ（記録媒体取出しスイッチ）、  １２７…パッキン（シール部材）
【図１】
2006139037.tif 000003
【図２】
2006139037.tif 000004
【図３】
2006139037.tif 000005
【図４】
2006139037.tif 000006
【図５】
2006139037.tif 000007
【図６】
2006139037.tif 000008
【図７】
2006139037.tif 000009
【図８】
2006139037.tif 000010
【図９】
2006139037.tif 000011
【図１０】
2006139037.tif 000012
【図１１】
2006139037.tif 000013
【図１２】
2006139037.tif 000014
【図１３】
2006139037.tif 000015
【図１４】
2006139037.tif 000016
【図１５】
2006139037.tif 000017
【図１６】
2006139037.tif 000018
【図１７】
2006139037.tif 000019
【図１８】
2006139037.tif 000020
【図１９】
2006139037.tif 000021